(57)【特許請求の範囲】
【請求項１】
時刻，時間，脈拍，血圧，気圧，温度，磁気，速度および距離の少なくとも１つを測定し、測定データを出力する測定手段と、前記測定手段から出力される測定データを記憶するための測定データ記憶手段と、を有する携帯用測定装置において、
前記測定手段から出力される測定データを逐次処理して算出した統計値である統計データを記憶するための統計データ記憶手段と、
前記測定手段から出力される測定データを前記測定データ記憶手段に記憶するか否かを設定するための設定手段と、
前記設定手段で記憶する旨の設定がなされた場合にのみ、前記測定手段から出力される測定データを前記測定データ記憶手段に記憶させる記憶制御を行う測定データ記憶制御手段と、
前記測定手段から測定データが出力される度に、前記測定データと前記統計データ記憶手段に記憶されている統計データとを用いて、新たな統計データを算出し、算出した新たな統計データを用いて前記統計データ記憶手段の統計データを更新する更新手段と、
を具備することを特徴とする携帯用測定装置。
【請求項２】
前記統計データは、予め定められた期間または時間ごとに複数設けられており、
前記更新手段は、前記測定データが測定された期間または時間に基づいて該当する統計データを更新することを特徴とする請求項１に記載の携帯用測定装置。
【請求項３】
さらに、前記統計データの期間または時間として任意の期間または時間を設定する期間設定手段を具備することを特徴とする請求項２に記載の携帯用測定装置。
【請求項４】
さらに、前記統計データを算出する際の演算方法として複数の演算方法を設定することが可能であり、
前記更新手段は、前記複数の演算方法を用いて複数の統計データを算出し、前記統計データ記憶手段の複数の統計データを更新することを特徴とする請求項１，２または３のいずれか１項記載の携帯用測定装置。
【発明の詳細な説明】
【０００１】
【発明の属する技術分野】
本発明は、複数回分の測定のデータから統計値を算出する機能を備えた携帯用測定装置に関し、より詳細には、ユーザの負荷を軽減する携帯用測定装置に関する。
【０００２】
【従来の技術】
従来の技術として、例えば、特公平７−９７１４２号公報に開示された『ストップウォッチ装置』がある。このようなストップウォッチ装置にあっては、ストップウオッチの測定データを、測定データ用の記憶領域に複数回分記憶する。また、記憶した複数回分の測定データから統計値（統計データ）、例えば、総記録時間，平均タイム，ベストラップまたはワーストラップ等を算出することができる。ユーザは、ボタン操作等により、記憶された測定データや、算出された統計データを確認することができる。
【０００３】
一般的に、上記従来のストップウォッチ装置のような携帯用測定装置は、大きさや価格の制限から、記憶できる測定データの量に厳しい制限がある。
【０００４】
ところで、例えば、ランナーの走行タイムの１年間の平均値、および競技会の際の詳細な測定データを確認したい場合がある。このような、多数回分の測定データから算出される統計データおよび幾つかの詳細な測定データを確認したい場合、上記従来のストップウォッチ装置には、記憶できる測定データの量に厳しい制限があるので、この多数回分の測定データを全て記憶できない。
【０００５】
このような場合、ユーザは、例えば、上記従来のストップウォッチ装置の測定データ用の記憶領域への測定データの記録を開始し、記憶領域が一杯になれば、記憶領域に記憶された測定データをノート等に書き写して記憶領域の測定データを消去する。次に、記憶領域への記録を再開し、再び記憶領域が一杯になれば、記憶領域に記憶された測定データをノート等に書き写して記憶領域の測定データを消去する、という操作を繰り返えす。そして、ノート等に書き写した測定データから統計データを算出している。
【０００６】
【発明が解決しようとする課題】
しかしながら、上記従来の技術によれば、多数回分の測定データから算出される統計データおよび幾つかの詳細な測定データを確認したい場合、ユーザが、測定データの書き写しおよび記憶されている測定データの消去を繰り返し、統計データの算出を行うため、手間がかかり、ユーザの負荷を増大するといった問題点、があった。また、書き写す際の転記ミスや計算時の入力ミスが起こりやすく、測定データおよび統計データの信頼性が低くなるといった問題点があった。更に、測定データまたは統計データを確認したいときにすぐに確認できないといった問題点があった。
【０００７】
本発明は上記に鑑みてなされたものであって、限られた記憶容量の装置であっても、ユーザの負荷を軽減し、また、信頼性の高い測定データおよび統計データを、確認したいときにすぐ確認できようにすることを目的とする。
【０００８】
【課題を解決するための手段】
上記の目的を達成するために、本発明の携帯用測定装置では、時刻，時間，脈拍，血圧，気圧，温度，磁気，速度および距離の少なくとも１つを測定し、測定データを出力する測定手段と、測定手段から出力される測定データを記憶するための測定データ記憶手段と、を有する携帯用測定装置において、測定データを記憶するか否かを選択できるように、測定手段から出力される測定データを測定データ記憶手段に記憶するか否かを設定するための設定手段と、設定手段で記憶する旨の設定がなされた場合にのみ、測定手段から出力される測定データを測定データ記憶手段に記憶させる記憶制御を行う測定データ記憶制御手段と、を設けるようにした。
【０００９】
また、この携帯用測定装置では、多回数分の測定データから計算される統計データを確認できるように、測定手段から出力される測定データを逐次処理して算出した統計値である統計データを記憶するための統計データ記憶手段と、測定手段から測定データが出力される度に、測定データと統計データ記憶手段に記憶されている統計データとを用いて、新たな統計データを算出し、算出した新たな統計データを用いて統計データ記憶手段の統計データを更新する更新手段と、を設けるようにした。
【００１０】
この携帯用測定装置にあっては、時刻，時間，脈拍，血圧，気圧，温度，磁気，速度および距離の少なくとも１つを測定し、測定データと記憶されている統計データとを用いて、新たな統計データを算出し、算出した新たな統計データを用いて統計データを更新する。また、測定データを記憶するか否かを設定し、記憶する旨の設定がなされた場合にのみ、測定データを記憶する。
【００１１】
さらに、所定の期間または時間ごとの統計データの推移を確認できるように、統計データが、予め定められた期間または時間ごとに複数設けられ、更新手段が、測定データが測定された期間または時間に基づいて該当する統計データを更新するようにしてもよい。
【００１２】
この携帯用測定装置にあっては、統計データが、予め定められた期間または時間ごとに複数設けられており、測定データが測定された期間または時間に基づいて該当する統計データを更新する。
【００１３】
さらに、統計データの期間または時間として任意の期間または時間を設定する期間設定手段を設けるようにしてもよい。
【００１４】
また、統計データを算出する際の演算方法として複数の演算方法を設定することができるようにし、更新手段が、設定された複数の演算方法を用いて複数の統計データを算出し、統計データ記憶手段の複数の統計データを更新するようにしてもよい。
【００１５】
この携帯用測定装置にあっては、統計データを算出する際の演算方法として複数の演算方法が設定可能であり、設定された複数の演算方法を用いて複数の統計データを算出し、複数の統計データを更新する。
【００１６】
【発明の実施の形態】
以下に本発明の実施の形態を、実施の形態１，実施の形態２の順で、添付の図面を参照して詳細に説明する。
【００１７】
実施の形態１．
実施の形態１の携帯用測定装置として、ストップウォッチ機能付の腕時計を例に挙げ、まず、図１を用いてその構成を説明する。図１は、実施の形態１の腕時計の構成を示すブロック図である。
【００１８】
実施の形態１の腕時計は、ユーザによる設定操作のための図示しないモードボタンやストップウォッチのスタート，ストップ，ラップおよびリセット入力等のための図示しないスタート，ストップ，ラップおよびリセットボタンを有する入力部１０１と、時間および時刻の計測をおこなう測定部１０２と、測定部１０２から出力される測定データおよび測定データを逐次処理して算出した統計値である統計データを記憶する記憶部１０３と、各種の表示をおこなう表示部１０４と、これら各部を制御する制御部１０５と、を備えている。
【００１９】
ユーザは、入力部１０１を介して期間の設定や、統計データの演算方法の設定を行う。設定する期間は、１ヶ月および１週間等いかなるものを設定できるようにしても良いし、統計データの演算方法も、標本数，合計値，最大値，最小値，平均値，偏差値等、いかなるものの演算方法であってもよい。また、統計データの演算方法を複数設定できるようにしてもよい。
【００２０】
制御部１０５は、設定手段１０５ａ、測定データ記憶制御手段１０５ｂと更新手段１０５ｃにより構成する。また、記憶部１０３は、測定データ記憶手段１０３ａと統計データ記憶手段１０３ｂにより構成する。制御部１０５は、入力部１０１を介して設定された期間や統計データの演算方法を記憶部１０３に記憶させる。なお、実施の形態１では、期間は１日、統計データはラップタイムの最大値および最小値ならびに測定時間の合計値に設定されているものとする。
【００２１】
入力部１０１を介してストップウォッチのスタート入力があった場合、スタート入力信号が制御部１０５の設定手段１０５ａに入力され、測定データ記憶制御手段１０５ｂが測定部１０２からの測定データの入力を開始する。測定終了後、測定データを記憶するか否かの設定を入力部１０１を介して入力し、記憶する旨の設定がなされた場合にのみ、測定データは記憶部１０３の測定データ記憶手段１０３ａに記憶される。また、測定データと記憶部１０３の統計データ記憶手段１０３ｂに記憶されている統計データとから、新たな統計データを算出する。測定データが測定された期間に基づいて、更新手段１０５ｃにより、該当する統計データを更新し、更新された統計データは、統計データ記憶手段１０３ｂに記憶される。
【００２２】
なお、測定部１０２は本発明の測定手段に対応し、記憶部１０３は本発明の測定データ記憶手段および統計データ記憶手段に対応し、制御部１０５は本発明の設定手段，測定データ記憶制御手段，更新手段および期間設定手段に対応する。
【００２３】
以上の構成において、実施の形態１の動作について図２〜図７を用いて説明する。実施の形態１の腕時計において、制御部１０５は、入力部１０１から図示しないスタートボタンが押されたことを示す信号を入力した場合、ストップウォッチの計測に関する処理である計測処理を開始する。
【００２４】
図２は、実施の形態１の制御部１０５の計測処理のフローチャートである。計測処理において、制御部１０５は、まず、測定部１０２を制御してストップウォッチの計測を開始するとともに記憶部１０３に記憶されたラップの回数を示すラップ回数Ｎに１を代入し（Ｓ２０１）、入力部１０１からラップボタンまたはストップボタンが押されたことを示す信号の入力があるまで待機する（Ｓ２０２，Ｓ２０３）。
【００２５】
図示しないラップボタンが押されたことを示す信号の入力があった場合、ラップタイムの表示等を行うラップ処理を実行し（Ｓ２０６）、ラップ処理終了後、ステップＳ２０２に戻る。一方、図示しないストップボタンが押されたことを示す信号の入力があった場合、ストップウォッチの計測の終了等を行うストップ処理、および、測定データおよび統計データの記憶等を行うリセット処理を実行し（Ｓ２０４，Ｓ２０５）、計測処理を終了する。
【００２６】
図３は実施の形態１の制御部１０５のラップ処理のフローチャートである。ラップ処理において、制御部１０５は、まず、測定部１０２から計測時間を読み出し、読み出した値を、経過タイム（スプリットタイム）として表示部１０４を介して表示するとともに、記憶部１０３内のＳＰＬＩＴ（Ｎ）レジスタに格納する（Ｓ３０１）。
【００２７】
次に、制御部１０５は、記憶部１０３のＳＰＬＩＴ（Ｎ−１）レジスタに前回格納した計測時間の値（Ｎ＝１の場合はＳＰＬＩＴ（０）に格納された０の値）を読み出す（Ｓ３０２）。続いて、ＳＰＬＩＴ（Ｎ）からＳＰＬＩＴ（Ｎ−１）を差し引いた値であるＬＡＰ（Ｎ）をラップタイムとして表示し（Ｓ３０３）、ラップ回数Ｎに１を加算し（Ｓ３０４）、処理を終了する。
【００２８】
図４は、実施の形態１の制御部１０５のストップ処理のフローチャートである。ストップ処理において、制御部１０５は、まず、測定部１０２を制御してストップウォッチの計測を終了し（Ｓ４０１）、前述したラップ処理と同様に、測定部１０２から計測時間を読み出し、読み出した値を、経過タイムとして表示部１０４を介して表示するとともに、記憶部１０３内のＳＰＬＩＴ（Ｎ）レジスタに格納する（Ｓ４０２）。
【００２９】
続いて、記憶部１０３のＳＰＬＩＴ（Ｎ−１）レジスタに前回格納した計測時間の値（Ｎ＝１の場合はＳＰＬＩＴ（０）に格納された０の値）を読み出し（Ｓ４０３）、ＳＰＬＩＴ（Ｎ）からＳＰＬＩＴ（Ｎ−１）を差し引いた値であるＬＡＰ（Ｎ）をラップタイムとして表示し（Ｓ４０４）、処理を終了する。
【００３０】
図５は、実施の形態１の制御部１０５のリセット処理のフローチャートである。リセット処理において、制御部１０５は、まず、リセットボタンが押されたことを示す信号の入力があるまで待機する（Ｓ５０１）。リセットボタンが押されたことを示す信号の入力があった場合、表示部１０４を制御して経過タイムおよびラップタイム等のストップウォッチの表示を消去し、測定結果を保存するか否かの選択をユーザに促す表示を行い（Ｓ５０２）、入力部１０１を介してＹｅｓまたはＮｏのボタン入力があるまで待機する（Ｓ５０３，Ｓ５０４）。
【００３１】
Ｎｏのボタン入力があった場合、換言すれば、測定結果を保存しない選択がされた場合は処理を終了する。一方、Ｙｅｓのボタン入力があった場合、換言すれば、測定結果を保存する選択がされた場合は、ＳＰＲＩＴ（１）〜ＳＰＲＩＴ（Ｎ）および測定の日付データからなる測定データをそのまま保存するか否か、換言すれば、測定データを詳細に保存するか否かの選択をユーザに促す表示を行い（Ｓ５０５）、再び、入力部１０１を介してＹｅｓまたはＮｏのボタン入力があるまで待機する（Ｓ５０６，Ｓ５０７）。
【００３２】
Ｎｏのボタン入力があった場合、換言すれば、測定データを詳細に保存しない選択がされた場合はステップＳ５０９に進む。一方、Ｙｅｓのボタン入力があった場合、換言すれば、測定データを詳細に保存する選択がされた場合は、測定データを詳細に保存する測定データ記憶処理を実行する（Ｓ５０８）。測定データ記憶処理終了後、続いて、統計データの算出等を行う統計データ記憶処理を実行し（Ｓ５０９）、処理を終了する。
【００３３】
図６は、実施の形態１の制御部１０５の測定データ記憶処理のフローチャートである。測定データ記憶処理において、制御部１０５は、まず、記憶部１０３の測定データ用の記憶領域の空き容量が十分にあるか否かを判定する（Ｓ６０１）。測定データ用の記憶領域の空き容量が十分にない場合は、消去するデータの選択を表示部１０４を介してユーザに促し、入力部１０１を介して選択されたデータを消去し（Ｓ６０３）、ステップＳ６０１に戻る。一方、測定データ用の記憶領域の空き容量が十分である場合は、ＳＰＲＩＴ（１）〜ＳＰＲＩＴ（Ｎ）および測定の日付データからなる測定データをそのまま保存し（Ｓ６０２）、処理を終了する。
【００３４】
図７は、実施の形態１の制御部１０５の統計データ記憶処理のフローチャートである。統計データ記憶処理において、制御部１０５は、まず、記憶部１０３の統計データ用の記憶領域の空き容量が十分にあるか否かを判定する（Ｓ７０１）。ここで、統計データ用の記憶領域には、測定時間の合計値であるトータル時間、ラップタイムの最大値および最小値の３つの統計データが、日ごとに複数記憶されている。ステップＳ７０１で、統計データ用の記憶領域の空き容量が十分にない場合は、消去するデータの選択を表示部１０４を介してユーザに促し、入力部１０１を介して選択されたデータを消去し（Ｓ７０３）、ステップＳ７０１に戻る。
【００３５】
一方、統計データ用の記憶領域の空き容量が十分である場合は、ステップＳ７０２に進む。ステップＳ７０２において、測定データの測定の日付に該当する統計データが記憶されていない場合は、測定データのＳＰＬＩＴ（Ｎ）を測定時間の合計値であるトータル時間とし、ＳＰＬＩＴ（１）〜ＳＰＬＩＴ（Ｎ）をそれぞれ比較してラップタイムの最大値および最小値をもとめ、この測定の日付に該当する統計データとしてそれぞれ統計データ用の記憶領域に保存し、計測処理を終了する。
【００３６】
一方、測定データの測定の日付に該当する統計データが記憶されている場合は、測定データのＳＰＬＩＴ（Ｎ）を、該当するトータル時間に加算し、新たなトータル時間を算出して更新する。また、ＳＰＬＩＴ（１）〜ＳＰＬＩＴ（Ｎ）からもとめられるラップタイムの値と、該当するラップタイムの最大値および最小値とから新たなラップタイムの最大値および最小値を算出して更新し、計測処理を終了する。
【００３７】
次に、保存した測定データおよび統計データの表示について、図８〜図１１を参照して説明する。図８は、実施の形態１の測定データ用の記憶領域の内容の一例を示す説明図、図９は、実施の形態１の統計データ用の記憶領域の内容の一例を示す説明図、図１０は、実施の形態１の測定データの表示の一例を示す説明図、図１１は、実施の形態１の統計データの表示の一例を示す説明図である。
【００３８】
実施の形態１の測定データ用の記憶領域には、図８に示すように、例えば、１９９８年１２月１３日に測定されたラップ回数３０の測定データが保存されている。制御部１０５は、入力部１０１に対するユーザのボタン操作に応じて記憶部１０３の測定データ用の記憶領域から測定データを入力し、図１０（ａ）、（ｂ）、（ｃ）に示すように、この測定におけるトータル時間，ラップ回数および日付、または、各ラップのラップタイム，スプリットタイムおよび日付を表示部１０４に表示させる。
【００３９】
一方、実施の形態１の統計データ用の記憶領域には、図９に示すように、例えば、１９９８年１２月１３日までに測定された、日ごとの、日付，トータル時間ならびにラップタイムの最大値および最小値が保存されている。制御部１０５は、入力部１０１に対するユーザの操作に応じて記憶部１０３の統計データ用の記憶領域から統計データを入力し、図１１（ａ）、（ｂ）、（ｃ）に示すように、月間のトータル時間，測定した日の数および測定月、または、日ごとのラップタイムの最大値および最小値、トータル時間ならびに日付を表示部１０４に表示させる。
【００４０】
前述した様に実施の形態１によれば、設定された期間ごとにトータル時間等の統計データを複数記憶し、測定終了後、出力される測定データを記憶するか否かを設定し、この設定に基づいて測定データの記憶制御を行う。また、測定データと記憶されている統計データとから新たな統計データを算出て統計データの更新を実行する。後日、ボタン操作により簡単に、統計データおよび測定データを確認できるため、多数回分の測定データから算出される期間または時間ごとの統計データの推移および幾つかの詳細な測定データを確認したい場合、ユーザが、ノート等への測定データの書き写しおよび記憶されている測定データの消去を繰り返し、統計データを算出する必要がなく、ユーザの負荷を軽減し、また、信頼性の高い測定データおよび統計データを確認したいときにすぐ確認できようにすることができる。
【００４１】
なお、実施の形態１では１回の測定ごとに出力される測定データと保存されている統計データとから新たな統計データを算出していたが、統計データ算出のために１日分の測定データを保存しておき、後日、保存しておいた１日分の測定データから統計データを算出して保存した後、保存しておいた１日分の測定データを消去するようにしてもよい。
【００４２】
実施の形態２．
実施の形態２の携帯用測定装置として、ストップウォッチ機能およびＧＰＳ（Ｇｌｏｂａｌ  Ｐｏｓｉｔｉｏｎｉｎｇ  Ｓｙｓｔｅｍ）を利用した速度および距離の測定機能を有する腕時計を例に挙げる。実施の形態２の腕時計は、前述した実施の形態１の腕時計と同様の構成に加えて測定部にＧＰＳアンテナおよびＧＰＳレシーバを備えている。また、その動作は、実施の形態１の動作と同様であるが、測定データおよび統計データの構成が異なり、これらの表示も異なる。
【００４３】
ここで、ＧＰＳレシーバおよびＧＰＳアンテナについては、当業者に知られた従来の技術であるので、その説明を省略し、測定データおよび統計データの構成ならびに、保存した測定データおよび統計データの表示についてのみ、図１２〜図１８を用いて説明する。
【００４４】
実施の形態２の測定データ用の記憶領域には、図１２に示すように、例えば、１９９８年１２月１３日に測定されたラップ回数３０の測定データが保存されている。この測定データは、スプリットタイム，スタートしてからの移動距離，速度および日付から構成されている。
【００４５】
制御部１０５は、入力部１０１に対するユーザのボタン操作に応じて記憶部１０３の測定データ用の記憶領域から測定データを入力し、図１４に示すように、この測定における平均速度，測定距離の合計値であるトータル距離，ラップ回数，日付およびトータル時間、または、図１５もしくは図１６に示すように、各ラップにおける速度，移動距離，ラップタイムおよびスプリットタイムを表示部１０４に表示させる。
【００４６】
一方、実施の形態２の統計データ用の記憶領域には、図１３に示すように、例えば、１９９８年１２月１３日までに測定された、日ごとの、日付，トータル時間およびトータル距離が保存されている。制御部１０５は、入力部１０１に対するユーザの操作に応じて記憶部１０３の統計データ用の記憶領域から統計データを入力し、図１７に示すように、月間の平均速度，トータル距離，測定月およびトータル時間、または、図１８に示すように、日ごとの平均速度，トータル距離，日付およびトータル時間を表示部１０４に表示させる。
【００４７】
前述した様に実施の形態２によれば、速度，距離および時間に関する測定データおよび統計データを保存することができ、また、実施の形態１と同様の効果を得ることができる。
【００４８】
なお、実施の形態１および実施の形態２では、携帯用測定装置として、ストップウォッチ機能付の腕時計ならびにＧＰＳによる速度および距離の測定機能付の腕時計を例に挙げたが、本発明の携帯用測定装置は、これらの例に限定されるものではなく、時刻，時間，脈拍，血圧，気圧，温度，磁気，速度または距離等の測定を行う機能をもった腕時計や、腕時計以外のこれらの機能をもった携帯用測定装置であってもよい。
【００４９】
【発明の効果】
以上説明したように、本発明の携帯用測定装置は、時刻，時間，脈拍，血圧，気圧，温度，磁気，速度および距離の少なくとも１つを測定し、測定データと記憶されている統計データとを用いて、新たな統計データを算出し、算出した新たな統計データを用いて統計データを更新し、また、測定データを記憶するか否かを設定し、記憶する旨の設定がなされた場合にのみ、測定データを記憶するため、ユーザの負荷を軽減することができる。更に、信頼性の高い測定データおよび統計データを、確認したいときにすぐ確認できようにすることができる。
【００５０】
また、本発明の携帯用測定装置は、統計データが、予め定められた期間または時間ごとに複数設けられており、測定データが測定された期間または時間に基づいて該当する統計データを更新するため、所定の期間または時間ごとの統計データの推移を確認することができる。
【００５１】
また、本発明の携帯用測定装置は、統計データの期間または時間として任意の期間または時間を設定することができるため、任意の期間または時間ごとの統計データの推移を確認することができる。
【００５２】
また、本発明の携帯用測定装置は、統計データを算出する際の演算方法として複数の演算方法が設定可能であり、設定された複数の演算方法を用いて複数の統計データを算出し、複数の統計データを更新するため、複数の統計データを確認することができる。
【図面の簡単な説明】
【図１】実施の形態１の腕時計の構成を示すブロック図である。
【図２】実施の形態１の制御部の計測処理のフローチャートである。
【図３】実施の形態１の制御部のラップ処理のフローチャートである。
【図４】実施の形態１の制御部のストップ処理のフローチャートである。
【図５】実施の形態１の制御部のリセット処理のフローチャートである。
【図６】実施の形態１の制御部の測定データ記憶処理のフローチャートである。
【図７】実施の形態１の制御部の統計データ記憶処理のフローチャートである。
【図８】実施の形態１の測定データ用の記憶領域の内容の一例を示す説明図である。
【図９】実施の形態１の統計データ用の記憶領域の内容の一例を示す説明図である。
【図１０】実施の形態１の測定データの表示の一例を示す説明図である。
【図１１】実施の形態１の統計データの表示の一例を示す説明図である。
【図１２】実施の形態２の測定データ用の記憶領域の内容の一例を示す説明図である。
【図１３】実施の形態２の統計データ用の記憶領域の内容の一例を示す説明図である。
【図１４】実施の形態２の測定データの表示の一例を示す説明図である。
【図１５】実施の形態２の測定データの表示の他の一例を示す説明図である。
【図１６】実施の形態２の測定データの表示の他の一例を示す説明図である。
【図１７】実施の形態２の統計データの表示の一例を示す説明図である。
【図１８】実施の形態２の統計データの表示の他の一例を示す説明図である。
【符号の説明】
１０１  入力部
１０２  測定部
１０３  記憶部
１０４  表示部
１０５  制御部
【図１】
0003778409.tif 000002
【図２】
0003778409.tif 000003
【図３】
0003778409.tif 000004
【図４】
0003778409.tif 000005
【図５】
0003778409.tif 000006
【図６】
0003778409.tif 000007
【図７】
0003778409.tif 000008
【図８】
0003778409.tif 000009
【図９】
0003778409.tif 000010
【図１０】
0003778409.tif 000011
【図１１】
0003778409.tif 000012
【図１２】
0003778409.tif 000013
【図１３】
0003778409.tif 000014
【図１４】
0003778409.tif 000015
【図１５】
0003778409.tif 000016
【図１６】
0003778409.tif 000017
【図１７】
0003778409.tif 000018
【図１８】
0003778409.tif 000019